(57)【特許請求の範囲】
【請求項１】
四辺を有する枠と、該枠の下側に位置する四辺形のトレイと、前記枠と前記トレイとの間に位置する第１〜第４の側壁と、からなり、
前記第１の側壁と前記第２の側壁は、上端部で前記枠の対向２辺に回動可能に連結されており、下端部は前記トレイとは連結されておらず、
前記第３の側壁と前記第４の側壁は、それぞれ、上側壁と下側壁とに分割されており、
前記第３、第４の側壁の上側壁の上端部は前記枠の残りの対向２辺に前記第１、第２の側壁の回動方向と直交する方向に回動可能に連結され、前記第３、第４の側壁の下側壁の下端部は前記トレイの対向２縁部に前記第１、第２の側壁の回動方向と直交する方向に回動可能に連結され、前記第３、第４の側壁の上側壁の下端部と前記第３、第４の側壁の下側壁の上端部とは前記第１、第２の側壁の回動方向と直交する方向に回動可能に連結されており、前記上側壁の下端部と前記下側壁の上端部にはそれぞれＲ形状部が形成されており、該Ｒ形状部はボックス組立て時に互いに当接してボックスの内側に突出する断面円弧部を形成する、
折り畳み式ボックス。
【請求項２】
ボックス組立て時に対向する一対のＲ形状部の一方に凸部が設けられており他方に凹部が設けられている請求項１記載の折り畳み式ボックス。
【発明の詳細な説明】
【０００１】
【発明の属する技術分野】
本発明は、折り畳み式ボックスに関する。
【０００２】
【従来の技術】
従来の折り畳み式ボックス１は、図７に示すように、枠２を上方に持ち上げると、それに連動して第３の側壁３と第４の側壁４が起き上がり、第３の側壁３と第４の側壁４が垂直に起き上がった時、第１の側壁５と第２の側壁６が自重で回転落下し、ボックス使用可能状態になる。
第３の側壁３と第４の側壁４は、上下分割構造をとっており、上側壁７と下側壁８からなる。上側壁７と下側壁８は、折り畳み可能に連結されている。上側壁７の下端部と下側壁８の上端部には、強度を向上させるために、図８に示すように、ボックスの外側または内側にフランジ部９が設けられている（図示例では、、ボックスの内側にフランジ部９が設けられている場合を示している）。
【０００３】
【発明が解決しようとする課題】
しかし、従来折り畳み式ボックス１には、つぎの問題がある。
▲１▼フランジ部９がボックスの外側に設けられている場合
フランジ部９がボックス１の外部から見えてしまい、ボックスの見栄えが悪い。
▲２▼フランジ部９がボックスの内側に設けられている場合
収納物（たとえば、買物袋）を、ボックス１に入れたりボックス１から出す時に、収納物に傷がつきやすい。
本発明の目的は、ボックスの見栄えがよく、収納物に傷がつくことを防止できる、折り畳み式ボックスを提供することにある。
【０００４】
【課題を解決するための手段】
（１）  四辺を有する枠と、該枠の下側に位置する四辺形のトレイと、前記枠と前記トレイとの間に位置する第１〜第４の側壁と、からなり、
前記第１の側壁と前記第２の側壁は、上端部で前記枠の対向２辺に回動可能に連結されており、下端部は前記トレイとは連結されておらず、
前記第３の側壁と前記第４の側壁は、それぞれ、上側壁と下側壁とに分割されており、
前記第３、第４の側壁の上側壁の上端部は前記枠の残りの対向２辺に前記第１、第２の側壁の回動方向と直交する方向に回動可能に連結され、前記第３、第４の側壁の下側壁の下端部は前記トレイの対向２縁部に前記第１、第２の側壁の回動方向と直交する方向に回動可能に連結され、前記第３、第４の側壁の上側壁の下端部と前記第３、第４の側壁の下側壁の上端部とは前記第１、第２の側壁の回動方向と直交する方向に回動可能に連結されており、前記上側壁の下端部と前記下側壁の上端部にはそれぞれＲ形状部が形成されており、該Ｒ形状部はボックス組立て時に互いに当接してボックスの内側に突出する断面円弧部を形成する、
折り畳み式ボックス。
（２）  ボックス組立て時に対向する一対のＲ形状部の一方に凸部が設けられており他方に凹部が設けられている（１）記載の折り畳み式ボックス。
【０００５】
上記（１）または（２）の折り畳み式ボックスでは、以下の作用を得ることができる。
▲１▼断面円弧部がボックス内側に設けられているので、断面円弧部はボックスの外部から見えず、ボックスの見栄えがよい。
▲２▼Ｒ形状としたので、収納物が断面円弧部に引っ掛からず、収納物が損傷しない。
上記（２）の折り畳み式ボックスでは、凸部と凹部が設けられているので、凸部と凹部が設けられていない場合に比べて、ボックスの側壁はボックスの内側、外側からの横荷重に対して強い。
【０００６】
【発明の実施の形態】
本発明実施例の仕切り板付き折り畳み式ボックス（以下、単にボックスという）１０は、図１に示すように、枠２０と、トレイ３０と、第１の側壁４０と、第２の側壁５０と、第３の側壁６０と、第４の側壁７０と、Ｒ形状部８０と、からなる。
【０００７】
枠２０は、ボックス１０の上端部に配置され、ボックス１０の開口を形成する。枠２０は、四辺を有する。枠２０は、図２に示すように、外側壁２１と内側壁２２と上壁２３とからなる。
外側壁２１と内側壁２２は、ボックス１０の全周にわたって設けられている。外側壁２１と内側壁２２とは、互いに平行に設けられている。
内側壁２２は、外側壁２１より内周側に設けられている。
上壁２３は、外側壁２１の上端と内側壁２２の上端とを、ボックス１０の全周にわたって連結している。
【０００８】
トレイ３０は、枠２０の下側に位置する。トレイ３０は四辺形となっている。トレイ３０は、底壁部３１と、立ち上がり部３２と、からなる。
底壁部３１は、ボックス１０の底壁である。
立ち上がり部３２は、底壁部３１の外周端から上方に向って所定距離立ち上がっている。
【０００９】
第１の側壁４０は、図１に示すように、ボックス１０の１側壁である。第１の側壁４０は、上端部で枠２０に回動可能に連結されている。第１の側壁４０の下端部は、トレイ３０に連結されていない。
【００１０】
第２の側壁５０は、ボックス１０の１側壁である。第２の側壁５０は、上端部で、枠２０に回動可能に連結されている。第２の側壁５０は、枠２０の四辺のうち、第１の側壁４０が連結される辺と対向する辺に連結されている。第２の側壁５０の軸芯と第１の側壁４０の軸芯とは、同方向に延びている。第２の側壁５０の下端部は、トレイ３０に連結されていない。
【００１１】
第３の側壁６０は、ボックス１０の１側壁である。第３の側壁６０は、ボックス１０が組み立てられた状態にある時（ボックス１０が使用可能状態にある時）、ボックス１０の内側面で、第１の側壁４０および第２の側壁５０と接触する。第３の側壁６０は、上側壁６１と下側壁６２とからなる。
【００１２】
上側壁６１の上端部は、枠２０の四辺のうち第１、第２のボックス４０、５０が連結される２辺と異なる２辺の１辺に、連結されている。上側壁６１の上端部は、枠２０に、第１の側壁４０と第２の側壁５０の回動方向と直交する方向に回動可能に連結されている。上側壁６１の下端部と下側壁６２の上端部とは、第１の側壁４０と第２の側壁５０の回動方向と直交する方向に折れ曲がり（回動）可能に、連結されている。上側壁６１と枠２０との連結と、上側壁６１と下側壁６２との連結は、ヒンジ結合である。下側壁６２の下端部は、四辺形のトレイ３０の一縁部３０ａに連結されている。下側壁６２の下端部は、トレイ３０に、第１の側壁４０と第２の側壁５０の回動方向と直交する方向に回動可能に連結されている。
下側壁６２の下端部とトレイ３０との回動連結構造を、図６を参照して、説明する。
回動連結構造は、下側壁６２の下面で下側壁６２の回動軸芯方向各端に設けられた一対の耳部６２ａと、一対の耳部６２ａの間に差し込まれたロッド６２ｂと、トレイ３０の立ち上がり部３２からボックス１０内側に突出しロッド６２ｂを回転可能に上から押さえる押さえ部材３２ａと、トレイ３０の底壁部３１から上方に突出する縦壁３１ａと、からなる。
耳部６２ａの下端は底壁部３１の上面に接触している。縦壁３１ａは、下側壁６２の回動軸芯方向と同方向に延びており、一対の耳部６２ａの部分は切り欠かれているが、その他の部分は連続して設けられている。下側壁６２は、ロッド６２ｂを中心として、図６のＤとＥとの間で回転可能である。縦壁３１ａが設けられているので、下側壁６２の下端部とトレイ３０との回動連結部にゴミ等が入り込みにくくなり、また、見栄えもよい。
【００１３】
第４の側壁７０は、図１に示すように、ボックス１０の１側壁である。第４の側壁７０は、ボックス１０が組み立てられた状態にある時、第３の側壁６０側との対向面で、第１の側壁４０および第２の側壁５０と接触する。第４の側壁７０は、上側壁７１と下側壁７２とからなる。
【００１４】
上側壁７１の上端部は、枠２０の四辺のうち、第３の側壁６０の上側壁６１の上端部が連結される辺と対向する辺に、連結されている。上側壁７１の上端部は、枠２０に、第１の側壁４０と第２の側壁５０の回動方向と直交する方向に回動可能に連結されている。上側壁７１の下端部と下側壁７２の上端部とは、第１の側壁４０と第２の側壁５０の回動方向と直交する方向に折れ曲がり（回動）可能に、連結されている。上側壁７１と枠２０との連結と、上側壁７１と下側壁７２との連結は、ヒンジ結合である。下側壁７２の下端部は、トレイ３０の縁部のうち、一縁部３０ａと対向する縁部３０ｂに連結されている。下側壁７２の下端部は、トレイ３０に、第１の側壁４０と第２の側壁５０の回動方向と直交する方向に回動可能に連結されている。下側壁７２の下端部とトレイ３０との回動連結構造は、前記した第３の側壁６０の下側壁６２の下端部とトレイ３０との回動連結構造と同様であるため、図６に符号を付すことにより、その詳しい説明は省略する。
【００１５】
Ｒ形状部８０は、図２に示すように、第３の側壁６０の上側壁６１と下側壁６２との連結部位、および、第４の側壁７０の上側壁７１と下側壁７２の連結部位に、それぞれ形成されている。第３の側壁６０に形成されるＲ形状部と、第４の側壁７０に形成されるＲ形状部は、ボックス１０の中心を通り第３、第４の側壁６０、７０の面内方向と平行な面に対して、対称形状である。
Ｒ形状部８０は、第１のＲ形状部８１と、第２のＲ形状部８２と、からなる。
【００１６】
第１のＲ形状部８１は、第３、第４の側壁６０、７０の上側壁６１、７１の下端部に、それぞれ、形成されている。第１のＲ形状部８１は、上側壁６１、７１のそれぞれの上下方向途中部位からボックス１０の内側に突出して形成されている。第１のＲ形状部８１のボックス１０内側面は、突出方向先端にいくにつれて下方に折れ曲がる湾曲面となっている。第１のＲ形状部８１は、第３、第４の側壁６０、７０の回動軸芯方向全体にわたって形成されている。
第１のＲ形状部８１は、図５に示すように、少なくとも１個リブ８１ａが設けられており、補強されている。また、リブ８１ａには、凸部８１ｂが設けられている。凸部８１ｂは、第１のＲ形状部８１から下方に突出して設けられている。
【００１７】
第２のＲ形状部８２は、図２に示すように、第３、第４の側壁６０、７０の下側壁６２、７２の上端部に、それぞれ、形成されている。第２のＲ形状部８２は、下側壁６２、７２のそれぞれの上下方向途中部位からボックス１０の内側に突出して形成されている。第２のＲ形状部８２のボックス１０内側面は、突出方向先端にいくにつれて上方に折れ曲がる湾曲面となっている。第２のＲ形状部８２は、第３、第４の側壁６０、７０の回動軸芯方向全体にわたって形成されている。
【００１８】
第２のＲ形状部８２は、ボックス１０組立て時に突出方向先端が第１のＲ形状部８１の突出方向先端と当接して、ボックス１０の内側に突出する断面円弧状の断面円弧部９０を形成する。第１のＲ形状部８１の突出方向先端と第２のＲ形状部８２の突出方向先端とが互いに当接したとき、第１のＲ形状部８１のボックス１０内側面と第２のＲ形状部８２のボックス１０内側面とは滑らかにつらなる。
第２のＲ形状部８２は、図５に示すように、少なくとも１個リブ８２ａが設けられており、補強されている。また、リブ８２ａには、凹部８２ｂが設けられている。凹部８２ｂには、ボックス１０組立て時に、第１のＲ形状部８１の凸部８１ｂがはまり込む。
【００１９】
ここで、本発明実施例の、ボックス１０組立て・折り畳み動を説明する。
まず、ボックス１０が組み立てられている状態にある時、図１に示すように、第１〜第４の側壁４０、５０、６０、７０は、立ち上がっており、上下方向に延びている。Ｒ形状部８０は、図２に示すように、第１の断面円弧部９０を形成している。図５に示すように、凸部８１ｂは凹部８２ｂに嵌まっている。
【００２０】
ボックス１０が組み立てられている状態から、第１の側壁４０を第２の側壁５０に向って手で押し上げるとともに、第２の側壁５０を第１の側壁４０に向って手で押し上げる時、第１の側壁４０と第２の側壁５０は、それぞれ、上端部と下端部が同じ上下方向位置となるまで回動する。
【００２１】
第１の側壁４０と第２の側壁５０とが水平方向に延びる姿勢をとるまで第１の側壁４０と第２の側壁５０を押し上げた時、第３の側壁６０と第４の側壁７０とは折れ曲がり可能な状態にある。そのため、第１の側壁４０と第２の側壁５０とが水平方向に延びた状態で枠２０をトレイ３０側に移動させることにより、第３の側壁６０と第４の側壁７０は折れ曲がり、ボックス１０を折り畳むことができる。そのとき、第１のＲ形状部８１は第２のＲ形状部８２から離れ、凸部８１ｂは凹部８２ｂから外れる。
【００２２】
ボックス１０が折り畳まれた状態にある時、図３、図４に示すように、第１〜第４の側壁４０、５０、６０、７０は、水平方向に延びている。Ｒ形状部８０は、トレイ３０の底壁部３１と接触していない。Ｒ形状部８０は、ボックス１０の上方に飛び出ていない。
【００２３】
ボックス１０が折り畳まれた状態から組み立てる時を説明する。
枠２０をトレイ３０に対して上方に引き上げると、第１の側壁４０と第２の側壁５０とが水平方向に延びたまま、第３の側壁６０と第４の側壁７０が立ち上がる。第３の側壁６０と第４の側壁７０とが上下方向に延び、Ｒ形状部８０が断面円弧部９０を形成した時、第１の側壁４０と第２の側壁５０は自重で下方に回動し、ボックス１０が組み立てられる。
【００２４】
次に、本発明実施例の作用を説明する。
▲１▼断面円弧部９０はボックス１０内側に設けられているので、断面円弧部９０はボックス１０の外部から見えず、ボックス１０の見栄えがよい。
▲２▼Ｒ形状としたので、収納物が断面円弧部９０に引っ掛からず、収納物が損傷しない。
▲３▼凸部８１ｂと凹部８２ｂが設けられているので、凸部８１ｂと凹部８２ｂが設けられていない場合に比べて、ボックス１０の側壁はボックスの内側、外側からの横荷重に対して強い。
【００２５】
【発明の効果】
請求項１または請求項２記載の折り畳み式ボックスによれば、以下の▲１▼、▲２▼の効果を得ることができる。
▲１▼断面円弧部がボックス内側に設けられているので、断面円弧部はボックスの外部から見えず、ボックスの見栄えがよい。
▲２▼Ｒ形状としたので、収納物が断面円弧部に引っ掛からず、収納物が損傷しない。
請求項２記載の折り畳み式ボックスによれば、凸部と凹部が設けられているので、凸部と凹部が設けられていない場合に比べて、ボックスの側壁はボックスの内側、外側からの横荷重に対して強い。
【図面の簡単な説明】
【図１】本発明実施例の折り畳み式ボックスの、組み立てた状態を示す斜視図である。
【図２】図１のＡ−Ａ線拡大断面図である。
【図３】本発明実施例の折り畳み式ボックスの、折り畳んだ状態を示す斜視図である。
【図４】図１のＢ−Ｂ線拡大断面図である。
【図５】本発明実施例の折り畳み式ボックスの、凸部と凹部が設けられている部位での拡大断面図である。
【図６】本発明実施例の折り畳み式ボックスの、第３、第４の側壁の下側壁の下端部とトレイとの回動連結構造を示す拡大断面図である。
【図７】従来の、折り畳み式ボックスの組立て途中（または、折り畳み途中）を示す斜視図である。
【図８】図６のＣ−Ｃ線拡大断面図である。
【符号の説明】
１０  ボックス
２０  枠
３０  トレイ
４０  第１の側壁
５０  第２の側壁
６０  第３の側壁
６１  第３の側壁の上側壁
６２  第３の側壁の下側壁
７０  第４の側壁
７１  第４の側壁の上側壁
７２  第４の側壁の下側壁
８０  Ｒ形状部
８１  第１のＲ形状部
８２  第２のＲ形状部
８１ｂ  凸部
８２ｂ  凹部
９０  断面円弧部
【図１】
0003813076.tif 000002
【図２】
0003813076.tif 000003
【図３】
0003813076.tif 000004
【図４】
0003813076.tif 000005
【図５】
0003813076.tif 000006
【図６】
0003813076.tif 000007
【図７】
0003813076.tif 000008
【図８】
0003813076.tif 000009